(57)【要約】本発明はエアチューブの表面にエアチューブの規格を容易に区別することができるように、エアチューブごとに規格表示部を形成することによって、使用の便利性を向上させることができる識別が容易な産業用エアチューブに関する。このために、本発明は空圧用、塗装用及び配管用の各種産業現場で使われるエアチューブにおいて、上記エアチューブ（１０）の外表面に各エアチューブ（１０）の規格を表示して識別することができるようにエアチューブ（１０）の外径寸法、厚さ及び材質の規格を表示する複数の表示線（２１）が形成された規格表示部（２０）を形成することを特徴とする。【選択図】図１
2014508906.tif 000002
【特許請求の範囲】
【請求項１】
空圧用、塗装用及び配管用の各種産業現場で使われるエアチューブにおいて、
前記エアチューブ（１０）の外表面にエアチューブ（１０）の規格を識別することができるように規格表示部（２０）が形成され、前記規格表示部（２０）はエアチューブ（１０）の規格を表示することができるように線で表示される複数の表示線（２１）が形成されることを特徴とする識別が容易な産業用エアチューブ。
【請求項２】
前記表示線（２１）は、エアチューブ（１０）の外径寸法を表示する第１表示線（２２）と、厚さを表示する第２表示線（２３）と、材質を表示する第３表示線（２４）で形成されることを特徴とする請求項１に記載の識別が容易な産業用エアチューブ。
【請求項３】
前記第１表示線（２２）、第２表示線（２３）、第３表示線（２４）は、エアチューブ（１０）の表面に連続的に形成されることを特徴とする請求項２に記載の識別が容易な産業用エアチューブ。
【請求項４】
前記第１表示線（２２）、第２表示線（２３）、第３表示線（２４）はエアチューブ（１０）の外表面の周りに繰り返し的に形成されることを特徴とする請求項２に記載の識別が容易な産業用エアチューブ。
【請求項５】
前記第１表示線（２２）、第２表示線（２３）、第３表示線（２４）は、エアチューブ（１０）の外径寸法、厚さ及び材質を容易に区別することができるように、色、太さ及び種類が異なる線の中の何れか一つで表示されることを特徴とする請求項２〜４の中の何れか一つに記載の識別が容易な産業用エアチューブ。
【請求項６】
前記規格表示部（２０）は夜間にも容易に識別することができるように夜光材が塗布されることを特徴とする請求項１に記載の識別が容易な産業用エアチューブ。
【請求項７】
空圧用、塗装用及び配管用の各種産業現場で使われるエアチューブにおいて、
前記エアチューブ（１０）の表面にはエアチューブ（１０）の規格を表示することができるように数字または文字が繰り返し的に表示される識別コード（３０）が形成されることを特徴とする識別が容易な産業用エアチューブ。
【発明の詳細な説明】
【技術分野】
【０００１】
本発明は識別が容易な産業用エアチューブに関するもので、より詳しくは、エアチューブの表面に同じ規格のエアチューブであるかを容易に区別することができるように、エアチューブごとに規格表示部を形成することによって、使用の便利性を向上させることができる識別が容易な産業用エアチューブに関する。
【背景技術】
【０００２】
一般に、エアチューブとは、通常合成樹脂を圧出成形して、内部にエアが通過することができるように所定の管形状で構成される。
【０００３】
このようなエアチューブは、油圧、空圧用及び塗装機器、自動車用または医療用などの各種産業現場で広く使われる。
【０００４】
また、エアチューブは、それぞれの使用用途によってエアチューブの寸法や厚さ及び材質などの規格がそれぞれ異なるように形成される。
【０００５】
しかし、従来のエアチューブは、それぞれのエアチューブに規格が別途に表示されていなため、規格を確認することが困難であり、特に、同じ寸法の用途が異なるエアチューブは、作業者が一々エアチューブを確認しなければならなくて煩雑であり、これによって、各エアチューブの規格を識別するのにたくさんの時間が所要されるなどの困難があって、作業性が低下するという問題点があった。
【発明の概要】
【発明が解決しようとする課題】
【０００６】
本発明は上述した問題点を解決するために案出されたもので、各種産業用エアチューブの外表面に同じ規格と用途のエアチューブであるかを容易に識別することができるように、色相種類、線太さ及び線種類で規格表示部を形成することによって、作業者が各エアチューブの規格を容易に確認することができて、作業の便利性及び効率性を極大化することができるようにする識別が容易な産業用エアチューブを提供することを目的とする。
【課題を解決するための手段】
【０００７】
上記目的を達成するために、本発明は各種産業用エアチューブの外表面に各エアチューブの規格を表示して識別することができるように、エアチューブの外径寸法と厚さ及び材質の規格を表示する複数の表示線が形成された規格表示部を形成することを特徴とする。
【０００８】
また、本発明によるエアチューブは、外表面の周りにエアチューブの規格を表示することができるように、色相種類、線太さ及び線種類の線で表示される複数の表示線が形成されることを特徴とする。
【０００９】
また、本発明によるエアチューブの他の一例として、エアチューブの表面には各エアチューブの規格を表示して識別することができるように識別コードが形成されることを特徴とする識別が容易な産業用エアチューブを提供するにある。
【発明の効果】
【００１０】
このように、本発明は各種産業現場で使われるエアチューブの外表面にそれぞれ線の太さまたは色相が異なるように形成される複数の表示線が形成された規格表示部を形成することによって、規格に適するエアチューブを容易に識別することができて、作業の便利性及び作業能率を極大化することができるという効果がある。
【図面の簡単な説明】
【００１１】
【図１】本発明による産業用エアチューブの一部を示した斜視図である。
【図２】本発明による産業用エアチューブの他の一例を示した斜視図である。
【図３】本発明による産業用エアチューブのまた他の一例を示した斜視図である。
【図４】本発明による産業用エアチューブのまた他の一例を示した斜視図である。
【発明を実施するための形態】
【００１２】
以下、添付された図面を参照して本発明の一実施例を詳しく説明すれば次の通りである。
【００１３】
図１は本発明による産業用エアチューブの一部を示した斜視図であり、図２〜図４は本発明による産業用エアチューブの他の一例を示した斜視図である。
【００１４】
図１〜図３に示すように、本発明は、工業用、塗装用及び配管用などの各種産業現場で使われるエアチューブにおいて、上記エアチューブ１０の外表面にそれぞれのエアチューブ１０が互いに同じ規格であるのかを容易に識別することができるようにエアチューブ１０ごとに規格表示部２０が形成される。
【００１５】
上記規格表示部２０は各エアチューブ１０の規格を表示することができるように線で表示される複数の表示線２１が形成される。
【００１６】
また、上記表示線２１は、エアチューブ１０の外径寸法を表示する第１表示線２２と、エアチューブ１０の厚さを表示する第２表示線２３と、エアチューブ１０の材質を表示する第３表示線２４とが形成される。
【００１７】
この時、上記第１表示線２２、第２表示線２３、第３表示線２４は、エアチューブ１０の外径寸法、厚さ及び材質を容易に区別することができるように、太さの異なる線で形成される。
【００１８】
また、上記第１表示線２２、第２表示線２３、第３表示線２４は、エアチューブ１０の外径寸法、厚さ及び材質を容易に区別することができるように、色または種類が異なる線で形成される。
【００１９】
また、上記第１表示線２２、第２表示線２３、第３表示線２４はエアチューブ１０の表面に連続的に表示されることが好ましい。
【００２０】
上記表示線２１はエアチューブ１０の表面に直線で連続されるか、または、図２のように、斜線で連続され、より好ましくは、曲線及び波形など多様な形態で連続される。
【００２１】
そして、上記規格表示部２０は、夜間にもエアチューブ１０を容易に識別することができるように夜光材が塗布される。
【００２２】
図３に示すように、本発明によるエアチューブ１０は、上記第１表示線２２、第２表示線２３、第３表示線２４がエアチューブ１０の規格を表示することができるように外表面の周りに形成される。
【００２３】
上記第１表示線２２、第２表示線２３、第３表示線２４はエアチューブ１０の外径寸法、厚さ及び材質の規格を容易に識別することができるように、様々な色相、線の太さ及び線の種類の何れか一つで形成される。
【００２４】
また、上記第１表示線２２、第２表示線２３、第３表示線２４はエアチューブ１０に繰り返し形成されることが好ましい。
【００２５】
図４に示すように、本発明によるエアチューブ１０は、表面に各エアチューブ１０の規格を表示することができるように識別コード３０が形成される。
【００２６】
この時、上記識別コード３０は数字または文字が繰り返し表示されることが好ましい。
【００２７】
上記のような構成からなる本発明によるエアチューブの作用状態を詳しく説明する。
【００２８】
上記エアチューブ１０の表面に、各エアチューブ１０の規格を識別することができる規格表示部２０を形成することによって、多様なエアチューブ１０が互いに混じっていても、上記規格表示部２０によって同じ規格のエアチューブ１０を容易に識別することができる。
【００２９】
そして、上記規格表示部２０をエアチューブ１０の外径寸法、厚さ及び材質を表示する第１表示線２２、第２表示線２３、第３表示線２４で形成し、上記第１表示線２２、第２表示線２３、第３表示線２４がそれぞれ太さ、種類及び色が異なる線で形成されることによって、各エアチューブ１０の規格をさらに容易に区別することができる。
【００３０】
また、本発明によるエアチューブ１０は、外表面の周りに少なくとも一つ以上の第１表示線２２、第２表示線２３、第３表示線２４が形成されるか、または数字や文字の識別コード３０が形成されることによって、エアチューブ１０の種類及び使用用途などによって、エアチューブ１０の識別表示を異なるように形成することができて、使用者への便宜性を向上させることができ、エアチューブ規格の多様化で作業者が便利に作業を行うことができる。
【００３１】
本発明は上述した特定の好ましい実施例に限定されないで、特許請求の範囲で請求する本発明の要旨を逸脱しない範囲内で、当該発明が属する技術分野で通常の知識を有する者であれば誰でも多様な変形実施が可能であることは勿論、このような変更は特許請求の範囲に記載された範囲に属するとすべきである。
【符号の説明】
【００３２】
１０：エアチューブ
２０：規格表示部
２１：表示線
２２：第１表示線
２３：第２表示線
２４：第３表示線
３０：識別コード
【図１】
2014508906.tif 000003
【図２】
2014508906.tif 000004
【図３】
2014508906.tif 000005
【図４】
2014508906.tif 000006
【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
空圧用、塗装用及び配管用の各種産業現場で使われるエアチューブにおいて、
前記エアチューブ（１０）の外表面にエアチューブ（１０）の規格を識別することができるように規格表示部（２０）が形成され、前記規格表示部（２０）はエアチューブ（１０）の規格を表示することができるように線で表示される複数の表示線（２１）が形成されることを特徴とする識別が容易な産業用エアチューブ。
【請求項２】
前記第１表示線（２２）、第２表示線（２３）、第３表示線（２４）はエアチューブ（１０）の外表面の周りに繰り返し的に形成されることを特徴とする請求項１に記載の識別が容易な産業用エアチューブ。
【請求項３】
前記第１表示線（２２）、第２表示線（２３）、第３表示線（２４）は、エアチューブ（１０）の外径寸法、厚さ及び材質を容易に区別することができるように、色、太さ及び種類が異なる線の中の何れか一つで表示されることを特徴とする請求項１に記載の識別が容易な産業用エアチューブ。
【手続補正２】
【補正対象書類名】明細書
【補正対象項目名】全文
【補正方法】変更
【補正の内容】
【発明の詳細な説明】
【技術分野】
【０００１】
本発明は識別が容易な産業用エアチューブに関するもので、より詳しくは、エアチューブの表面に同じ規格のエアチューブであるかを容易に区別することができるように、エアチューブごとに規格表示部を形成することによって、使用の便利性を向上させることができる識別が容易な産業用エアチューブに関する。
【背景技術】
【０００２】
一般に、エアチューブとは、通常合成樹脂を圧出成形して、内部にエアが通過することができるように所定の管形状で構成される。
【０００３】
このようなエアチューブは、油圧、空圧用及び塗装機器、自動車用または医療用などの各種産業現場で広く使われる。
【０００４】
また、エアチューブは、それぞれの使用用途によってエアチューブの寸法や厚さ及び材質などの規格がそれぞれ異なるように形成される。
【０００５】
しかし、従来のエアチューブは、それぞれのエアチューブに規格が別途に表示されていなため、規格を確認することが困難であり、特に、同じ寸法の用途が異なるエアチューブは、作業者が一々エアチューブを確認しなければならなくて煩雑であり、これによって、各エアチューブの規格を識別するのにたくさんの時間が所要されるなどの困難があって、作業性が低下するという問題点があった。
【発明の開示】
【発明が解決しようとする課題】
【０００６】
本発明は上述した問題点を解決するために案出されたもので、各種産業用エアチューブの外表面に同じ規格と用途のエアチューブであるかを容易に識別することができるように、色相種類、線太さ及び線種類で規格表示部を形成することによって、作業者が各エアチューブの規格を容易に確認することができて、作業の便利性及び効率性を極大化することができるようにする識別が容易な産業用エアチューブを提供することを目的とする。
【課題を解決するための手段】
【０００７】
上記目的を達成するために、本発明は各種産業用エアチューブの外表面に各エアチューブの規格を表示して識別することができるように、エアチューブの外径寸法と厚さ及び材質の規格を表示する複数の表示線が形成された規格表示部を形成することを特徴とする。
【０００８】
また、本発明によるエアチューブは、外表面の周りにエアチューブの規格を表示することができるように、色相種類、線太さ及び線種類の線で表示される複数の表示線が形成されることを特徴とする。
【０００９】
また、本発明によるエアチューブの他の一例として、エアチューブの表面には各エアチューブの規格を表示して識別することができるように識別コードが形成されることを特徴とする識別が容易な産業用エアチューブを提供するにある。
【発明の効果】
【００１０】
このように、本発明は各種産業現場で使われるエアチューブの外表面にそれぞれ線の太さまたは色相が異なるように形成される複数の表示線が形成された規格表示部を形成することによって、規格に適するエアチューブを容易に識別することができて、作業の便利性及び作業能率を極大化することができるという効果がある。
【図面の簡単な説明】
【００１１】
【図１】本発明による産業用エアチューブの一部を示した斜視図である。
【図２】本発明による産業用エアチューブの他の一例を示した斜視図である。
【図３】本発明による産業用エアチューブのまた他の一例を示した斜視図である。
【発明を実施するための形態】
【００１２】
以下、添付された図面を参照して本発明の一実施例を詳しく説明すれば次の通りである。
【００１３】
図１は本発明による産業用エアチューブの一部を示した斜視図であり、図２〜図３は本発明による産業用エアチューブの他の一例を示した斜視図である。
【００１４】
図１〜図３に示すように、本発明は、工業用、塗装用及び配管用などの各種産業現場で使われるエアチューブにおいて、上記エアチューブ１０の外表面にそれぞれのエアチューブ１０が互いに同じ規格であるのかを容易に識別することができるようにエアチューブ１０ごとに規格表示部２０が形成される。
【００１５】
上記規格表示部２０は各エアチューブ１０の規格を表示することができるように線で表示される複数の表示線２１が形成される。
【００１６】
また、上記表示線２１は、エアチューブ１０の外径寸法を表示する第１表示線２２と、エアチューブ１０の厚さを表示する第２表示線２３と、エアチューブ１０の材質を表示する第３表示線２４とが形成される。
【００１７】
この時、上記第１表示線２２、第２表示線２３、第３表示線２４は、エアチューブ１０の外径寸法、厚さ及び材質を容易に区別することができるように、太さの異なる線で形成される。
【００１８】
また、上記第１表示線２２、第２表示線２３、第３表示線２４は、エアチューブ１０の外径寸法、厚さ及び材質を容易に区別することができるように、色または種類が異なる線で形成される。
【００１９】
また、上記第１表示線２２、第２表示線２３、第３表示線２４はエアチューブ１０の表面に連続的に表示されることが好ましい。
【００２０】
上記表示線２１はエアチューブ１０の表面に直線で連続されるか、または、図２のように、斜線で連続され、より好ましくは、曲線及び波形など多様な形態で連続される。
【００２１】
図３に示すように、本発明によるエアチューブ１０は、上記第１表示線２２、第２表示線２３、第３表示線２４がエアチューブ１０の規格を表示することができるように外表面の周りに形成される。
【００２２】
上記第１表示線２２、第２表示線２３、第３表示線２４はエアチューブ１０の外径寸法、厚さ及び材質の規格を容易に識別することができるように、様々な色相、線の太さ及び線の種類の何れか一つで形成される。
【００２３】
また、上記第１表示線２２、第２表示線２３、第３表示線２４はエアチューブ１０に繰り返し形成されることが好ましい。
【００２４】
上記のような構成からなる本発明によるエアチューブの作用状態を詳しく説明する。
【００２５】
上記エアチューブ１０の表面に、各エアチューブ１０の規格を識別することができる規格表示部２０を形成することによって、多様なエアチューブ１０が互いに混じっていても、上記規格表示部２０によって同じ規格のエアチューブ１０を容易に識別することができる。
【００２６】
そして、上記規格表示部２０をエアチューブ１０の外径寸法、厚さ及び材質を表示する第１表示線２２、第２表示線２３、第３表示線２４で形成し、上記第１表示線２２、第２表示線２３、第３表示線２４がそれぞれ太さ、種類及び色が異なる線で形成されることによって、各エアチューブ１０の規格をさらに容易に区別することができる。
【００２７】
また、本発明によるエアチューブ１０は、外表面の周りに少なくとも一つ以上の第１表示線２２、第２表示線２３、第３表示線２４が形成されるか、または数字や文字の識別コード３０が形成されることによって、エアチューブ１０の種類及び使用用途などによって、エアチューブ１０の識別表示を異なるように形成することができて、使用者への便宜性を向上させることができ、エアチューブ規格の多様化で作業者が便利に作業を行うことができる。
【００２８】
本発明は上述した特定の好ましい実施例に限定されないで、特許請求の範囲で請求する本発明の要旨を逸脱しない範囲内で、当該発明が属する技術分野で通常の知識を有する者であれば誰でも多様な変形実施が可能であることは勿論、このような変更は特許請求の範囲に記載された範囲に属するとすべきである。
【符号の説明】
【００２９】
１０：エアチューブ
２０：規格表示部
２１：表示線
２２：第１表示線
２３：第２表示線
２４：第３表示線
【手続補正３】
【補正対象書類名】図面
【補正対象項目名】図４
【補正方法】削除
【補正の内容】
【国際調査報告】
2014508906.tif 000007
2014508906.tif 000008
2014508906.tif 000009
2014508906.tif 000010